(57)【要約】【課題】ＨＳ−ＰＤＳＣＨの送信電力を考慮し、かつ、スループットを最大化すること。【解決手段】送信先決定部３０１は、パケットを送信する候補となる各通信端末装置を選択し、選択した各通信端末装置からのＣＱＩ信号に基づいて送信先装置を決定する。送信電力決定部３０２は、送信電力リソースを管理し、ＨＳ−ＰＤＳＣＨの送信電力及びパイロットチャネルの送信電力を決定する。ＨＳ−ＰＤＳＣＨ  ＳＩＲ推定部３０３は、ＣＱＩ信号及び送信電力に基づいて送信先装置におけるＨＳ−ＰＤＳＣＨのＳＩＲを推定する。ＭＣＳ決定部３０４は、ＨＳ−ＰＤＳＣＨ  ＳＩＲに基づいて、最大のＴＢＳを決定し、決定したＴＢＳに対応するＭＣＳを変調部１５３に指示する。【選択図】      図３
2004173019.tif 000002
【特許請求の範囲】
【請求項１】
送信電力リソースに基づいて下り回線信号の送信電力を決定する送信電力決定手段と、
前記送信電力決定手段によって決定された送信電力及び通信端末装置から受信した下り回線品質を示す回線報告値とに基づいて通信端末装置における信号品質を推定する品質推定手段と、
前記品質推定手段によって推定された信号品質に応じて、所定の受信品質を満たす最大の送信ブロックサイズを決定し、決定した送信ブロックサイズに対応する拡散コード数及び変調方式の組み合わせを割り当てる割り当て手段と、
を具備することを特徴とする基地局装置。
【請求項２】
前記割り当て手段は、自装置の拡散コードリソースと、通信端末装置の能力内の拡散コード数及び変調方式とに基づいて、送信ブロックサイズを決定することを特徴とする請求項１に記載の基地局装置。
【請求項３】
前記割り当て手段は、所定値以上の符号化率となる送信ブロックサイズを決定することを特徴とする請求項１に記載の基地局装置。
【請求項４】
前記割り当て手段は、変調方式に応じて符号化率の所定値を変更することを特徴とする請求項３に記載の基地局装置。
【請求項５】
前記割り当て手段は、推定された信号品質に応じて、所定の受信品質を満たすように決定された最大の送信ブロックサイズが送信待ちのデータ量を一定以上越える場合、送信ブロックサイズが送信待ちのデータ量から一定以内に収まるように送信ブロックサイズを調整することを特徴とする請求項１から請求項４のいずれかに記載の基地局装置。
【請求項６】
前記割り当て手段は、送信ブロックサイズを調整するため下り回線信号の送信電力を低減する指示を前記送信電力決定手段に対して行い、
前記送信電力決定手段は、前記割り当て手段の指示に従って、下り回線信号の送信電力を低減することを特徴とする請求項５に記載の基地局装置。
【請求項７】
前記割り当て手段は、送信ブロックサイズを調整するため割り当てる拡散コード数を低減することを特徴とする請求項５に記載の基地局装置。
【請求項８】
前記割り当て手段は、送信ブロックサイズを調整するため変調多値数を低減することを特徴とする請求項５に記載の基地局装置。
【請求項９】
前記割り当て手段は、送信ブロックサイズを調整するため割り当てる拡散コード数を低減し、変調多値数を低減すると共に、下り回線信号の送信電力を低減する指示を前記送信電力決定手段に対して行い、
前記送信電力決定手段は、前記割り当て手段の指示に従って、下り回線信号の送信電力を低減することを特徴とする請求項５に記載の基地局装置。
【請求項１０】
前記割り当て手段は、送信ブロックサイズを調整するため、前記最大の送信ブロックサイズに対する送信待ちデータ量の割合に応じて、前記送信電力決定手段によって決定された送信電力と、前記最大の送信ブロックサイズに対応するコード数を低減することを特徴とする請求項５に記載の基地局装置。
【請求項１１】
送信電力リソースに基づいて決定された下り回線信号の送信電力情報を受信する受信手段と、
信号品質を測定する品質測定手段と、
前記受信手段によって受信された送信電力情報と前記品質測定手段によって測定された信号品質とに基づいて、所定の受信品質を満たす最大の送信ブロックサイズを決定し、決定した送信ブロックサイズと、この送信ブロックサイズに対応する拡散コード数及び変調方式との組み合わせを基地局装置に要求する要求手段と、
を具備することを特徴とする通信端末装置。
【請求項１２】
送信電力リソースに基づいて下り回線信号の送信電力を決定する送信電力決定工程と、
前記送信電力決定工程によって決定された送信電力及び通信端末装置から受信した下り回線品質を示す回線報告値とに基づいて通信端末装置における信号品質を推定する品質推定工程と、
前記品質推定工程によって推定された信号品質に応じて、所定の受信品質を満たす最大の送信ブロックサイズを決定し、決定した送信ブロックサイズに対応する拡散コード数及び変調方式の組み合わせを割り当てる割り当て工程と、
を具備することを特徴とする送信割り当て制御方法。
【発明の詳細な説明】
【０００１】
【発明の属する技術分野】
本発明は、下り高速パケット通信の適応変調を行う無線通信システムにおける基地局装置及び送信割り当て制御方法に関し、例えば、基地局装置に適用して好適なものである。
【０００２】
【従来の技術】
無線通信の分野では、高速大容量な下りチャネルを複数の通信端末装置が共有し、基地局装置から通信端末装置にパケットを伝送する下り高速パケット伝送方式が開発されている。下り高速パケット伝送方式では、伝送効率を高めるために、スケジューリング技術及び適応変調技術が用いられている。
【０００３】
スケジューリング技術とは、基地局装置がタイムスロット毎に下り高速パケットの送信先となる通信端末装置（以下、「送信先装置」という）を設定し、送信先装置に送信するパケットを割り当てる技術である。また、適応変調技術とは、パケット送信する通信端末装置の伝搬路の状態に応じて適応的に変調方式及び誤り訂正符号化方式（ＭＣＳ：  Ｍｏｄｕｌａｔｉｏｎ  ａｎｄ  Ｃｏｄｉｎｇ  Ｓｃｈｅｍｅ）を決定する技術である。
【０００４】
また、高速パケット伝送を行う無線通信システムでは、データの受信性能の向上を図るためにＡＲＱ（Ａｕｔｏｍａｔｉｃ  Ｒｅｐｅａｔ  Ｒｅｑｕｅｓｔ）、特に、Ｈ−ＡＲＱ（Ｈｙｂｒｉｄ−Ａｕｔｏｍａｔｉｃ  Ｒｅｐｅａｔ  Ｒｅｑｕｅｓｔ）が用いられている。ＡＲＱとは、受信側装置で誤りが検出されたデータ単位（パケット）を送信側装置が再送信する処理を自動的に行う技術であり、Ｈ−ＡＲＱは、送信側装置が再送時に特定のビットのみを選択して受信側装置に送信し、受信側装置において再送信号と既受信信号とを合成する技術である。Ｈ−ＡＲＱには、初回送信と全く同じ符号化を行ったパケットを再送するＣＣ（Ｃｈａｓｅ  Ｃｏｍｂｉｎｉｎｇ）方式と、初回送信と異なる符号化を行ったパケットを再送するＩＲ（Ｉｎｃｒｅｍｅｎｔａｌ  Ｒｅｄｕｎｄａｎｃｙ）方式とがある。
【０００５】
以下、スケジューリング技術及び適応変調技術を用いて高速パケット伝送を行う無線通信システムの基地局装置及び通信端末装置の動作について概説する。
【０００６】
基地局装置は、各通信端末装置から送信された下り回線状態の報告値（例えば、ＣＱＩ：Ｃｈａｎｎｅｌ  Ｑｕａｌｉｔｙ  ｏｆ  Ｉｎｄｉｃａｔｏｒ）に基づいて回線品質を予測し、最も回線品質が良い通信端末装置を送信先装置として、各タイムスロットにその送信先装置へのパケットを割り当てる。また、予測した回線品質に基づいて、ＴＢＳ（Ｔｒａｎｓｐｏｒｔ  Ｂｌｏｃｋ  Ｓｉｚｅ）、拡散コード数（以下、単に「コード数」という）、変調方式、符号化率、及び送信電力を決定する。そして、基地局装置は、このように定めた内容に従ってパケットを誤り訂正符号化及び変調して送信先装置に送信する。また、スケジューリングの結果を示すスケジューリング情報も送信先装置に送信する。
【０００７】
各通信端末装置は、受信したスケジューリング情報に基づいて、自局宛のパケットが割り当てられたタイムスロットにおいて、基地局装置で決定された変調方式及び符号化率に対応した復調及び復号を行い、ＣＲＣ検出等を行う。パケットデータを正しく復号できた場合にはこれを示すＡＣＫ信号を、パケットデータを正しく復号できなかった場合にはこれを示すＮＡＣＫ信号を基地局装置に送信する。
【０００８】
基地局装置は、ＡＣＫ信号を受信すると新規データを送信し、ＮＡＣＫ信号を受信すると同一データを再送信する。
【０００９】
このように、下り高速パケット伝送方式は、セクタ内に存在する全ての通信端末装置で１つのチャネルを共有して効率的にパケットを伝送するので、コードリソースを有効活用することができる。
【００１０】
ここで、上述したように従来においては、基地局装置は、各通信端末装置からのＣＱＩに基づいてＴＢＳ、コード数、変調方式（これらの組み合わせを「ＴＦＲＣ：Ｔｒａｎｓｐｏｒｔ  Ｆｏｒｍａｔ  ａｎｄ  Ｒｅｓｏｕｒｃｅ  Ｃｏｍｂｉｎａｔｉｏｎ」という）、及び送信電力を決定しており、具体的には、例えば下記非特許文献１に開示されたテーブルに基づいて決定される。図２０は、上記文献に開示されたＣＱＩテーブルであり、ＴＦＲＣが各ＣＱＩと対応付けられている。これは、各ＣＱＩにおいて、１回の送信でＦＥＲ（Ｆｒａｍｅ  Ｅｒｒｏｒ  Ｒａｔｅ）が０．１を満たすＴＦＲＣがシミュレーションにより求められたものである。
【００１１】
上記文献では、シミュレーションにおいて、ＦＥＲが０．１となるＨＳ−ＰＤＳＣＨ（Ｈｉｇｈ  Ｓｐｅｅｄ−Ｐｈｙｓｉｃａｌ  Ｄｏｗｎｌｉｎｋ  Ｓｈａｒｅｄ  Ｃｈａｎｎｅｌ）のＳＩＲ（Ｓｉｇｎａｌ  ｔｏ  Ｉｎｔｅｒｆｅｒｅｎｃｅ  Ｒａｔｉｏ）は下記の数式１となることが示されている。
【００１２】
ＳＩＲ［ｄＢ］＝−４．５＋ＣＱＩ                      ・・・（１）
ここで、ＣＱＩは図２０の場合には、１〜３０のいずれかの値をとり、−４．５はＨＳＤＰＡを適用したシステムにおいて、通信端末装置がＲＡＫＥ受信機を使用し、伝搬環境は１パスの静特性、ＦＥＲ＝０．１となる場合の定数である。
【００１３】
上記数式（１）のような関係を得るためには、ＨＳ−ＰＤＳＣＨの送信電力（ＰＨＳ−ＰＤＳＣＨ）、パイロットチャネル（ＣＰＩＣＨ：Ｃｏｍｍｏｎ  Ｐｉｌｏｔ  Ｃｈａｎｎｅｌ）の送信電力（ＰＣＰＩＣＨ）、オフセットΓの関係が以下の数式（２）を満たす必要がある。
【００１４】
ＰＨＳ−ＰＤＳＣＨ＝ＰＣＰＩＣＨ＋Γ                            ・・・（２）
【非特許文献１】
３ＧＰＰ，Ｒ１−０２−０６７５，Ｍｏｔｏｒｏｌａ，Ｅｒｉｃｓｓｏｎ，”Ｒｅｖｉｓｅｄ  ＣＱＩ  Ｐｒｏｐｏｓａｌ”
【００１５】
【発明が解決しようとする課題】
しかしながら、図２０は、ＴＦＲＣが取り得る組み合わせ全てについてシミュレーションを行った結果ではなく、部分的なシミュレーション結果に過ぎない。図２０を別の表にＣＱＩとコード数とを変調方式毎に対応させて概略まとめたのが図２１である。図２１の網掛け部分には、図２１のＣＱＩテーブルに示されたＴＢＳよりも大きいＴＢＳを設定できる可能性があり、スループットを最大化できていないという問題がある。
【００１６】
また、ＨＳ−ＰＤＳＣＨの送信電力は、基地局装置において送信電力リソースをどのように通信端末装置に配分するかによって決められるものであり、送信電力リソースが不足しているような場合には、上述した数式（２）の関係が得られるとは限らない。従って、数式（２）が成り立たない場合には数式（１）も同様に成り立たず、ＨＳ−ＰＤＳＣＨの送信電力を考慮せず、通信端末装置から通知されたＣＱＩに従ってＣＱＩテーブルからＴＦＲＣを一義的に決定するのは適切ではない。
【００１７】
本発明はかかる点に鑑みてなされたものであり、ＨＳ−ＰＤＳＣＨの送信電力を考慮し、かつ、スループットを最大化することができる基地局装置及びスケジューリング方法を提供することを目的とする。
【００１８】
【課題を解決するための手段】
かかる課題を解決するため、本発明の基地局装置は、送信電力リソースに基づいて下り回線信号の送信電力を決定する送信電力決定手段と、前記送信電力決定手段によって決定された送信電力及び通信端末装置から受信した下り回線品質を示す回線報告値とに基づいて通信端末装置における信号品質を推定する品質推定手段と、前記品質推定手段によって推定された信号品質に応じて、所定の受信品質を満たす最大の送信ブロックサイズを決定し、決定した送信ブロックサイズに対応する拡散コード数及び変調方式の組み合わせを割り当てる割り当て手段と、を具備する構成を採る。
【００１９】
この構成によれば、送信電力リソースに基づいて下り回線信号の送信電力と、下り回線品質を示す回線報告値とに基づいて推定された通信端末装置における信号品質に応じて所定の信号品質を満たす最大の送信ブロックサイズが決定されることより、スループットを向上させることができる。
【００２０】
本発明の基地局装置は、前記割り当て手段が、自装置の拡散コードリソースと、通信端末装置の能力内の拡散コード数及び変調方式とに基づいて、送信ブロックサイズを決定する構成を採る。
【００２１】
この構成によれば、例えば、予め送信ブロックサイズと拡散コード数及び変調方式が対応付けられたテーブルを用意しておき、自装置の拡散コードリソース及び通信端末装置の能力内の拡散コード数及び変調方式に対応する送信ブロックサイズを決定するようにすれば、テーブルの検索に要する時間を短縮することができる。
【００２２】
本発明の基地局装置は、前記割り当て手段が、所定値以上の符号化率となる送信ブロックサイズを決定する構成を採る。
【００２３】
この構成によれば、所定値以上の符号化率に制限することにより、初回送信時に送信可能なパリティビットが制限されるため、再送時に残りのパリティビットを送信するようにすれば、再送毎に符号化率が低くなる再送方法を用いた場合、より少ない再送回数で所定の受信品質を満たすことができる。
【００２４】
本発明の基地局装置は、前記割り当て手段が、変調方式に応じて符号化率の所定値を変更する構成を採る。
【００２５】
この構成によれば、例えば、ＱＰＳＫに比べ誤りやすい１６ＱＡＭの場合、所定値をＱＰＳＫの場合よりも大きくすることにより、再送毎に符号化率が低くなる再送方法を用いた場合、誤りやすい１６ＱＡＭでもより少ない再送回数で所定の受信品質を満たすことができる。
【００２６】
本発明の基地局装置は、前記割り当て手段が、推定された信号品質に応じて、所定の受信品質を満たすように決定された最大の送信ブロックサイズが送信待ちのデータ量を一定以上越える場合、送信ブロックサイズが送信待ちのデータ量から一定以内に収まるように送信ブロックサイズを調整する構成を採る。
【００２７】
この構成によれば、最大の送信ブロックサイズが送信待ちのデータ量を一定以上越える場合、送信ブロックサイズが送信待ちのデータ量から一定以内に収まるように送信ブロックサイズを調整することにより、パディング処理を行わず、余分な処理を省くことができ、コードリソースや送信電力リソースを効率よく使用することができる。
【００２８】
本発明の基地局装置は、前記割り当て手段が、送信ブロックサイズを調整するため下り回線信号の送信電力を低減する指示を前記送信電力決定手段に対して行い、前記送信電力決定手段は、前記割り当て手段の指示に従って、下り回線信号の送信電力を低減する構成を採る。
【００２９】
この構成によれば、送信ブロックサイズを調整するため下り回線信号の送信電力を低減することより、送信電力リソースを効率よく使用することができる。
【００３０】
本発明の基地局装置は、前記割り当て手段が、送信ブロックサイズを調整するため割り当てる拡散コード数を低減する構成を採る。
【００３１】
この構成によれば、送信ブロックサイズを調整するため拡散コード数を低減することより、コードリソースを効率よく使用することができる。
【００３２】
本発明の基地局装置は、前記割り当て手段が、送信ブロックサイズを調整するため変調多値数を低減する構成を採る。
【００３３】
この構成によれば、送信ブロックサイズを調整するため変調多値数を低減することより、受信品質を向上させることができる。
【００３４】
本発明の基地局装置は、前記割り当て手段が、送信ブロックサイズを調整するため割り当てる拡散コード数を低減し、変調多値数を低減すると共に、下り回線信号の送信電力を低減する指示を前記送信電力決定手段に対して行い、前記送信電力決定手段は、前記割り当て手段の指示に従って、下り回線信号の送信電力を低減する構成を採る。
【００３５】
この構成によれば、送信ブロックサイズを調整するため送信電力、拡散コード数、及び変調多値数を低減することより、送信電力リソース及びコードリソースを効率よく使用することができ、また、受信品質を向上させることができる。
【００３６】
本発明の基地局装置は、前記割り当て手段が、送信ブロックサイズを調整するため、前記最大の送信ブロックサイズに対する送信待ちデータ量の割合に応じて、前記送信電力決定手段によって決定された送信電力と、前記最大の送信ブロックサイズに対応するコード数を低減する構成を採る。
【００３７】
この構成によれば、送信ブロックサイズが送信待ちデータ量を一定以上越える場合でも、送信ブロックサイズを調整するため、再度送信ブロックサイズを検索しないので、コード数及び変調方式を決定するまでに要する時間を短縮することができる。また、送信電力リソースを効率よく使用することができる。
【００３８】
本発明の通信端末装置は、送信電力リソースに基づいて決定された下り回線信号の送信電力情報を受信する受信手段と、信号品質を測定する品質測定手段と、前記受信手段によって受信された送信電力情報と前記品質測定手段によって測定された信号品質とに基づいて、所定の受信品質を満たす最大の送信ブロックサイズを決定し、決定した送信ブロックサイズと、この送信ブロックサイズに対応する拡散コード数及び変調方式との組み合わせを基地局装置に要求する要求手段と、を具備する構成を採る。
【００３９】
この構成によれば、通信端末装置毎に送信ブロックサイズを決定することより、通信端末装置の能力内の拡散コード数や変調方式等を考慮すると、通信端末装置毎に送信ブロックサイズを最適化させることができるので、スループットを向上させることができる。
【００４０】
本発明の送信割り当て制御方法は、送信電力リソースに基づいて下り回線信号の送信電力を決定する送信電力決定工程と、前記送信電力決定工程によって決定された送信電力及び通信端末装置から受信した下り回線品質を示す回線報告値とに基づいて通信端末装置における信号品質を推定する品質推定工程と、前記品質推定工程によって推定された信号品質に応じて、所定の受信品質を満たす最大の送信ブロックサイズを決定し、決定した送信ブロックサイズに対応する拡散コード数及び変調方式の組み合わせを割り当てる割り当て工程と、を具備するようにした。
【００４１】
この方法によれば、送信電力リソースに基づいて下り回線信号の送信電力と、下り回線品質を示す回線報告値とに基づいて推定された通信端末装置における信号品質に応じて所定の受信品質を満たす最大の送信ブロックサイズが決定されることより、スループットを向上させることができる。
【００４２】
【発明の実施の形態】
本発明の骨子は、送信電力リソースに基づいたＨＳ−ＰＤＳＣＨの回線品質及び下り回線品質を示す回線報告値（ＣＱＩ：Ｃｈａｎｎｅｌ  Ｑｕａｌｉｔｙ  Ｉｎｄｉｃａｔｏｒ）に応じて、所定の信号品質を満たす最大の送信ブロックサイズ（ＴＢＳ：Ｔｒａｎｓｐｏｒｔ  Ｂｌｏｃｋ  Ｓｉｚｅ）と、その際の拡散コード数（以下、単に「コード数」という）及び変調方式の組み合わせを決定することである。これにより、ＨＳ−ＰＤＳＣＨの送信電力を考慮し、最適なＴＢＳで送信することができるので、スループットを向上させることができる。
【００４３】
以下、本発明の実施の形態について、添付の図面を参照して詳細に説明する。
【００４４】
（実施の形態１）
図１は、本発明の実施の形態１に係る基地局装置の構成を示すブロック図である。以下、図１に示した基地局装置１００の各構成部分の作用について説明する。
【００４５】
共用器（ＤＵＰ）１０２は、アンテナ１０１に受信された信号を受信ＲＦ部１０３に出力する。また、共用器１０２は、送信ＲＦ部１６６から出力された信号をアンテナ１０１から無線送信する。
【００４６】
受信ＲＦ部１０３は、共用器１０２から出力された無線周波数の受信信号をベースバンドのディジタル信号に変換し、復調部１０４に出力する。
【００４７】
復調部１０４は、無線通信を行う通信端末装置の数だけ用意され、受信ベースバンド信号に対して逆拡散、ＲＡＫＥ合成、誤り訂正復号等の復調処理を行い、分離部１０５に出力する。
【００４８】
分離部１０５は、復調部１０４の出力信号をデータと制御信号とに分離する。分離部１０５にて分離された制御信号には、ＤＬ（Ｄｏｗｎ  Ｌｉｎｋ）用ＴＰＣコマンド、ＣＱＩ信号、パイロット信号、ＡＣＫ／ＮＡＣＫ信号等が含まれる。ＣＱＩ信号及びＡＣＫ／ＮＡＣＫ信号はスケジューラ１５１に出力され、ＤＬ用ＴＰＣコマンドは送信電力制御部１５８に出力される。
【００４９】
ＳＩＲ測定部１０６は、無線通信を行う通信端末装置の数だけ用意され、復調の過程で測定される希望波レベル及び干渉波レベルによって上り回線の受信ＳＩＲを測定し、ＳＩＲを示す信号をＴＰＣコマンド生成部１０７に出力する。
【００５０】
ＴＰＣコマンド生成部１０７は、無線通信を行う通信端末装置の数だけ用意され、上り回線の受信ＳＩＲと目標ＳＩＲとの大小関係により、上り回線の送信電力の増減を指示するＵＬ（Ｕｐ  Ｌｉｎｋ）用ＴＰＣコマンドを生成する。
【００５１】
本願発明の特徴部分であるスケジューラ１５１は、パケット伝送用制御信号、各通信端末装置からのＣＱＩ信号、ＡＣＫ／ＮＡＣＫ信号に基づいてパケットを送信する通信端末装置（以下、「送信先装置」という）を決定し、送信先装置及び送信するパケットデータを示す情報をバッファ（Ｑｕｅｕｅ）１５２に出力する。また、スケジューラ１５１は、送信先装置のＣＱＩ信号及びパイロット信号に基づいてＴＢＳ（Ｔｒａｎｓｐｏｒｔ  Ｂｌｏｃｋ  Ｓｉｚｅ）、コード数及び変調方式を決定し、変調部１５３に指示し、ＴＢＳについてはバッファ１５２にも指示する。また、スケジューラ１５１は、送信先装置からのＣＱＩ信号に基づいてパケットデータの送信電力を決定し、送信電力を示す信号を送信電力制御部１５４に出力する。また、スケジューラ１５１は、ＨＳ−ＳＣＣＨ（Ｓｈａｒｅｄ  Ｃｏｎｔｒｏｌ  Ｃｈａｎｎｅｌ  ｏｆ  ＨＳ−ＰＤＳＣＨ）によって送信先装置に送信する信号（以下、「ＨＳ−ＳＣＣＨ用信号」という）を増幅部１６１に出力する。ＨＳ−ＳＣＣＨ用信号には、パケットデータを送信するタイミング、パケットデータの符号化率及び変調方式等を示す情報（ＴＦＲＩ）が含まれる。なお、スケジューラ１５１の内部構成については後述する。
【００５２】
バッファ１５２は、スケジューラ１５１に指示された送信先装置に対するパケットデータをＴＢＳ分、変調部１５３に出力する。
【００５３】
変調部１５３は、スケジューラ１５１の指示に従ってパケットデータに対して誤り訂正符号化、変調及び拡散を行って増幅部１５５に出力する。
【００５４】
送信電力制御部１５４は、増幅部１５５の増幅量を制御することにより、変調部１５３の出力信号の送信電力をスケジューラ１５１で決定された値となるように制御する。増幅部１５５の出力信号は、ＨＳ−ＰＤＳＣＨで送信される信号であって、多重部（ＭＵＸ）１６５に出力される。
【００５５】
多重部（ＭＵＸ）１５６は、無線通信を行う通信端末装置の数だけ用意され、各通信端末装置に送信する個別データ（制御信号も含む）にパイロット信号及びＵＬ用ＴＰＣコマンドを多重して変調部１５７に出力する。
【００５６】
変調部１５７は、無線通信を行う通信端末装置の数だけ用意され、多重部１５６の出力信号に対して誤り訂正符号化、変調及び拡散を行って増幅部１５９に出力する。
【００５７】
送信電力制御部１５８は、無線通信を行う通信端末装置の数だけ用意され、ＤＬ用ＴＰＣコマンドに従って増幅部１５９の増幅量を制御することにより、変調部１５７の出力信号の送信電力を制御する。また、送信電力制御部１５８は、送信電力値を示す信号を送信電力制御部１６０に出力する。増幅部１５９にて増幅された信号は、ＤＰＣＨ（Ｄｅｄｉｃａｔｅｄ  Ｐｈｙｓｉｃａｌ  Ｃｈａｎｎｅｌ：Ａ−ＤＰＣＨを含む）で送信される信号であって、多重部（ＭＵＸ）１６５に出力される。
【００５８】
送信電力制御部１６０は、送信電力制御部１５８の送信電力値にオフセットをつけた値で増幅部１６１の増幅量を制御することにより、スケジューラ１５１から出力されたＨＳ−ＳＣＣＨ用信号の送信電力を制御する。増幅部１６１にて増幅された信号は、ＨＳ−ＳＣＣＨで送信される信号であって、多重部１６５に出力される。なお、送信電力制御部１６０は、再送状態等によりオフセット値を補正してもよい。
【００５９】
変調部１６２は、共通制御データに対して誤り訂正符号化、変調及び拡散を行って増幅部１６４に出力する。送信電力制御部１６３は、増幅部１６４の増幅量を制御することにより、変調部１６２の出力信号の送信電力を制御する。増幅部１６４の出力信号は、ＣＰＩＣＨ等で送信される信号であって、多重部１６５に出力される。
【００６０】
多重部１６５は、増幅部１５５、増幅部１５９、増幅部１６１及び増幅部１６４の各出力信号を多重し、送信ＲＦ部１６６に出力する。
【００６１】
送信ＲＦ部１６６は、変調部１５９から出力されたベースバンドのディジタル信号を無線周波数の信号に変換して共用器１０２に出力する。
【００６２】
図２は、図１に示した基地局装置と無線通信を行う通信端末装置の構成を示すブロック図である。図２の通信端末装置２００は、基地局装置１００から個別データ、共通制御データ、パケットデータ、ＨＳ−ＳＣＣＨ用信号を受信する。以下、図２の通信端末装置２００における各構成部分の作用について説明する。
【００６３】
共用器（ＤＵＰ）２０２は、アンテナ２０１で受信された信号を受信ＲＦ部２０３に出力する。また、共用器２０２は、送信ＲＦ部２５８から出力された信号をアンテナ２０１から無線送信する。
【００６４】
受信ＲＦ部２０３は、共用器２０２から出力された無線周波数の受信信号をベースバンドのディジタル信号に変換し、ＨＳ−ＰＤＳＣＨの信号をバッファ２０４に出力し、ＨＳ−ＳＣＣＨ用信号を復調部２０５に出力し、ＤＰＣＨの信号を復調部２０８に出力し、共通制御チャネルの信号をＣＩＲ（Ｃａｒｒｉｅｒ  ｔｏ  Ｉｎｔｅｒｆｅｒｅｎｃｅ  Ｒａｔｉｏ）測定部２１２に出力する。
【００６５】
バッファ２０４は、ＨＳ−ＰＤＳＣＨの信号を一時的に保存して復調部２０６に出力する。
【００６６】
復調部２０５は、ＨＳ−ＳＣＣＨ用信号に対して逆拡散、ＲＡＫＥ合成、誤り訂正復号等の復調処理を行い、自局宛パケットデータの到来タイミング、当該パケットデータのコード数及び変調方式等、パケットデータの復調に必要な情報を取得して復調部２０６に出力する。
【００６７】
復調部２０６は、復調部２０５にて取得された情報に基づいてバッファに保存されているＨＳ−ＰＤＳＣＨの信号に対して逆拡散、ＲＡＫＥ合成、誤り訂正復号等の復調処理を行い、復調処理によって得られたパケットデータを誤り検出部２０７に出力する。
【００６８】
誤り検出部２０７は、復調部２０６から出力されたパケットデータに対して誤り検出を行い、誤りが検出されなかった場合にはＡＣＫ信号を、誤りが検出されなかった場合にはＮＡＣＫ信号を多重部（ＭＵＸ）２５１に出力する。
【００６９】
復調部２０８は、ＤＰＣＨの信号に対して逆拡散、ＲＡＫＥ合成、誤り訂正復号等の復調処理を行い、分離部２０９に出力する。
【００７０】
分離部２０９は、復調部２０８の出力信号をデータと制御信号とに分離する。分離部２０９にて分離された制御信号には、ＵＬ用ＴＰＣコマンド等が含まれる。ＵＬ用ＴＰＣコンドは送信電力制御部２５７に出力される。
【００７１】
ＳＩＲ測定部２１０は、復調の過程で測定される希望波レベル及び干渉波レベルによって下り回線の受信ＳＩＲを測定し、測定した全ての受信ＳＩＲをＴＰＣコマンド生成部２１１に出力する。
【００７２】
ＴＰＣコマンド生成部２１１は、ＳＩＲ測定部２１０から出力された受信ＳＩＲと目標ＳＩＲとの大小関係によりＤＬ用ＴＰＣコマンドを生成し、多重部（ＭＵＸ）２５４に出力する。
【００７３】
ＣＩＲ測定部２１２は、基地局装置からの共通制御チャネルの信号を用いてＣＩＲを測定し、測定結果をＣＱＩ生成部２１３に出力する。ＣＱＩ生成部２１３は、基地局装置から送信された信号のＣＩＲに基づくＣＱＩ信号を生成して多重部２５１に出力する。
【００７４】
多重部２５１は、ＣＱＩ信号及びＡＣＫ／ＮＡＣＫ信号を多重して変調部２５２に出力する。変調部２５２は、多重部２５１の出力信号に対して誤り訂正符号化、変調及び拡散を行って多重部（ＭＵＸ）２５６に出力する。
【００７５】
変調部２５３は、基地局装置１００に送信するデータに対して誤り訂正符号化、変調及び拡散を行って多重部２５６に出力する。
【００７６】
多重部２５４は、ＤＬ用ＴＰＣコマンド、パイロット信号を多重して変調部２５５に出力する。変調部２５５は、多重部２５４の出力信号に対して誤り訂正符号化、変調及び拡散を行って多重部２５６に出力する。
【００７７】
多重部２５６は、変調部２５２、変調部２５３及び変調部２５５の各出力信号を多重し、送信ＲＦ部２５８に出力する。
【００７８】
送信電力制御部２５７は、ＵＬ用ＴＰＣコマンドに従って送信ＲＦ部２５８の増幅量を制御することにより、多重部２５６の出力信号の送信電力を制御する。なお、複数の基地局装置と接続している場合、送信電力制御部２５７は、全てのＵＬ用ＴＰＣコマンドが送信電力の上昇を指示する場合のみ送信電力を上昇させる制御を行う。
【００７９】
送信ＲＦ部２５８は、多重部２５６から出力されたベースバンドのディジタル信号を増幅し、無線周波数の信号に変換して共用器２０２に出力する。
【００８０】
次に、基地局装置１００のスケジューラ１５１の内部構成について図３を用いて説明する。
【００８１】
送信先決定部３０１は、パケット伝送用制御信号よりパケットを送信する候補となる各通信端末装置を選択し、選択した各通信端末装置からのＣＱＩ信号に基づいて送信先装置を決定する。例えば、ＣＱＩ信号に基づいて受信品質が最も良い通信端末装置を送信先装置として決定する。そして、送信先決定部３０１は、送信先装置を示す情報をバッファ１５２、ＨＳ−ＰＤＳＣＨ  ＳＩＲ推定部３０３、ＭＣＳ決定部３０４及びＨＳ−ＳＣＣＨ用信号生成部３０５に出力する。また、送信先決定部３０１は、ＡＣＫ信号を入力した場合には新しいデータを送信するように、ＮＡＣＫ信号を入力した場合には前回送信したデータを再送するようにバッファ１５２に指示する。
【００８２】
送信電力決定部３０２は、送信電力リソースを管理し、ＨＳ−ＰＤＳＣＨの送信電力及びパイロットチャネルの送信電力を決定する。そして、送信電力決定部３０２は、決定した送信電力を示す信号をＨＳ−ＰＤＳＣＨ  ＳＩＲ推定部３０３及び送信電力制御部１５４、１６３に出力する。
【００８３】
ＨＳ−ＰＤＳＣＨ  ＳＩＲ推定部３０３は、ＣＱＩ信号及び送信電力に基づいて送信先装置における信号品質としてのＨＳ−ＰＤＳＣＨのＳＩＲを推定し、推定結果をＭＣＳ決定部３０４に出力する。ＨＳ−ＰＤＳＣＨのＳＩＲの推定は、具体的には、送信電力リソースから決定したＨＳ−ＰＤＳＣＨの送信電力（ＰＨＳ−ＰＤＳＣＨ）、パイロットチャネルの送信電力（ＰＣＰＩＣＨ）、オフセットΓより、以下の数式（３）により行われる。
【００８４】
ＨＳ−ＰＤＳＣＨ  ＳＩＲ［ｄＢ］＝−４．５＋ＣＱＩ＋｛ＰＨＳ−ＰＤＳＣＨ−（Ｐ
ＣＰＩＣＨ＋Γ）｝                                          ・・・（３）
【００８５】
ＭＣＳ決定部３０４は、ＨＳ−ＰＤＳＣＨ  ＳＩＲに基づいてＴＢＳを決定すると、送信先装置のＭＣＳ選択（コード数及び変調方式の決定）を行い、ＭＣＳをＨＳ−ＳＣＣＨ用信号生成部３０５に出力するとともに変調部１５３に指示する。また、ＴＢＳについては、バッファ１５２への指示を行う。
【００８６】
ＨＳ−ＳＣＣＨ用信号生成部３０５は、ＭＣＳ決定部３０４から出力されたＭＣＳ等をもとに送信先装置用のＨＳ−ＳＣＣＨ用信号を生成し、増幅部１６１に出力する。
【００８７】
ここで、ＭＣＳ決定部３０４の詳細について説明する。図４は、ＭＣＳ決定部３０４が有するＴＢＳテーブルの概略図であり、ＨＳ−ＰＤＳＣＨ  ＳＩＲが−３．５［ｄＢ］〜２５．５［ｄＢ］まで１［ｄＢ］ずつ３０段階に区切られており、それぞれにコード数１〜１５までに対応するＴＢＳが割り当てられている。さらに、このテーブルが変調方式毎に設けられており、図４では、ＱＰＳＫと１６ＱＡＭについて設けられている。このテーブルに割り当てられるＴＢＳは、所用品質（例えば、ＦＥＲ＝０．１）を満たして伝送できる最大のＴＢＳが設定される。従来のＣＱＩテーブルと上述のＴＢＳテーブルとを比較した様子を示したのが図５である。この図では、縦軸にＴＢＳ［ｂｉｔ］を、横軸にＨＳ−ＰＤＳＣＨ  ＳＩＲ［ｄＢ］をとったグラフである。丸印のプロットを結ぶ折れ線が従来のＣＱＩテーブルを示すものであり、四角のプロットを結ぶ折れ線が本実施の形態におけるＴＢＳテーブルを示すものである。本実施の形態が示すＴＢＳは、コード数及び変調方式の組み合わせにより最適化されたものである。この図によれば、どのＳＩＲの場合にもＴＢＳテーブルの方がＣＱＩテーブルよりも多くのＴＢＳを送ることができ、スループットを向上させることが分かる。図４のＴＢＳテーブルは、実際には例えば図６に示すようになる。
【００８８】
図６（Ａ）は、符号化率１／３のターボ符号を適用した場合について具体的なＴＢＳの値を示したテーブルであり、図６（Ｂ）は、図６（Ａ）のＴＢＳに対応する符号化率を示したものである。これらは、説明の簡便化のためコード数を１〜５までについて例示した。図６（Ａ）及び図６（Ｂ）から分かるように、各コード数には、ＨＳ−ＰＤＳＣＨ  ＳＩＲの所定範囲が対応している。これは、図６（Ｂ）に着目すると、ほとんどの符号化率が１／３以上、１以下となっており、１／３未満となると、符号化後の冗長性が高くなり、すなわち、レートマッチングを行うためリピティションにより同じ符号化ビットが物理チャネル上の複数シンボルにマッピングされ、効率が悪くなるためである。１／３未満となっているのは、物理チャネルのビット数が最小となるＱＰＳＫ、１コードの場合のみであり、これは、ＨＳ−ＰＤＳＣＨ  ＳＩＲが非常に低い場合、誤りやすい環境となるため、符号化率を低くし、冗長性を高める必要があることから、ＴＢＳを小さくせざるを得ないためである。一方、符号化率が１以下となっているのは、ターボ符号におけるシステマティックビットを全ビット必ず送信することにしているためである。
【００８９】
図６（Ａ）から分かることは、ある変調方式のあるコード数についてみると、ＨＳ−ＰＤＳＣＨ  ＳＩＲが大きいほどＴＢＳを大きくすることができる。また、あるＨＳ−ＰＤＳＣＨ  ＳＩＲのある変調方式についてみると、コード数が大きいほどＴＢＳを大きくすることができる。
【００９０】
さらに、あるＨＳ−ＰＤＳＣＨ  ＳＩＲについて物理チャネルのビット数が同じとなる組み合わせ（例えば、ＱＰＳＫで２コードと１６ＱＡＭで１コード）を比較すると、ＱＰＳＫの方がＴＢＳを大きくすることができ、これはＱＰＳＫの方が誤りに強いためである。このような場合、コードリソースに余裕があれば、変調多値数の低いＱＰＳＫを用いることが考えられる。
【００９１】
次に、ＭＣＳ決定部３０４においてＴＢＳテーブルを用いてＭＣＳを決定する手順について図７を参照して説明する。図７において、ステップ（以下、「ＳＴ」と省略）７０１では、通信端末装置の能力や基地局装置が割り当て可能なコード数に基づいて、選択不可能なコード数及び変調方式の組み合わせをマスクする。これにより、変調方式及びコード数の多くの組み合わせを減らすことができるため、以下におけるＴＢＳ選択にかける時間を短縮することができる。選択不可能な組み合わせがない場合は、マスクすることなくＳＴ７０２に移行する。
【００９２】
ＳＴ７０２では、通信端末装置が受信する際のＨＳ−ＰＤＳＣＨ  ＳＩＲの推定値を、ＣＱＩ、送信電力リソースから決定したＨＳ−ＰＤＳＣＨの送信電力、パイロットチャネルの送信電力及びオフセットΓから算出する。
【００９３】
ＳＴ７０３では、推定したＨＳ−ＰＤＳＣＨ  ＳＩＲにおいて、選択可能なコード数及び変調方式の組み合わせの中から最大のＴＢＳを検索し、検索したＴＢＳを候補とする。
【００９４】
ＳＴ７０４では、ＳＴ７０３において選択されたＴＢＳとなるコード数、変調方式を決定し、ＭＣＳ決定手順を終了する。
【００９５】
このように本実施の形態によれば、送信電力リソースを考慮したＨＳ−ＰＤＳＣＨのＳＩＲに基づいたＴＢＳテーブルを、コード数及び変調方式の全ての組み合わせについて用意し、通信端末装置が受信する際のＨＳ−ＰＤＳＣＨのＳＩＲからＴＢＳを決定することにより、ＴＢＳの最適化を図ることができ、スループットを向上させることができる。
【００９６】
なお、本実施の形態では、ＴＢＳテーブルを用いて説明したが、ＴＢＳが一義的に決定されれば数式を用いてもよい。
【００９７】
（実施の形態２）
実施の形態１では、初回送信時、再送時を区別せず同一のＴＢＳテーブルを用いて説明したが、この実施の形態では、再送時、特にＩＲ方式の再送を考慮したＴＢＳテーブルについて説明する。
【００９８】
図８は、本発明の実施の形態２におけるＴＢＳテーブルである。図８（Ａ）は、具体的なＴＢＳの値を示したテーブルであり、図８（Ｂ）は、ＴＢＳに対応する符号化率を示したものである。これらは、説明の簡便化のためコード数を１〜５までについて例示した。図８（Ｂ）に着目すると、ほとんどの符号化率が０．６以上、１以下となっており、図６の符号化率に比べ、符号化率を制限している。
【００９９】
従来のＣＱＩテーブルと上述のＴＢＳテーブルとを比較した様子を示したのが図９である。この図では、縦軸にＴＢＳ［ｂｉｔ］を、横軸にＨＳ−ＰＤＳＣＨＳＩＲ［ｄＢ］をとったグラフである。菱形のプロットを結ぶ折れ線が従来のＣＱＩテーブルを示すものであり、三角のプロットを結ぶ折れ線が本実施の形態におけるＴＢＳテーブルを示すものである。そして四角のプロットを結ぶ折れ線が実施の形態１におけるＴＢＳテーブルを示すものである。本実施の形態が示すＴＢＳは、コード数及び変調方式の組み合わせにより最適化されたものである。この図によれば、ＨＳ−ＰＤＳＣＨ  ＳＩＲが低いところでは、従来との差はほとんどないが、１０［ｄＢ］付近から従来よりも多くのＴＢＳを送ることができ、実施の形態１の場合とほぼ同じＴＢＳで送ることができる。
【０１００】
本実施の形態におけるＴＢＳテーブルは、Ｈ−ＡＲＱのＩＲ方式、すなわち、初回送信と部分的に、あるいは全て異なる未送信の符号化ビットを含めて再送を行う場合に適しており、この様子を図１０を用いて説明する。図１０は、送信１回当たりに必要なＳＩＲとＦＥＲとの関係を示す図である。この図では、縦軸にＦＥＲを、横軸に送信１回当たりに必要なＳＩＲをとる。また、四角でプロットした点を結ぶ線がＱＰＳＫで１回送信（１Ｔｘ）した場合を示し、三角でプロットした点を結ぶ線がＣＣ方式で２回送信（２Ｔｘ）した場合を示しており、また、丸でプロットした点を結ぶ線がＩＲ方式で２回送信（２Ｔｘ）した場合を示している。ＣＣ方式もＩＲ方式も２回送信の場合は、送信１回当たりに必要なＳＩＲを低減している。ところが、ＩＲ方式はＣＣ方式に比較してさらに低いＳＩＲで送信することができ、この差分がＩＲ方式の利得（ＩＲ利得）である。このように、符号化率を０．６以上としたことにより、初回送信時に送信することができるパリティビットが限られ、再送時に残りのパリティビットを送信することになる。ＩＲ方式では、受信側の通信端末装置において前回までに受信したパリティビットと再送時に送られてきたパリティビットとを合わせてシステマティックビットを復号することになるので、再送回数が増える毎に符号化率が小さくなり、常にＩＲ方式の利得を確保することができる。すなわち、所定の品質を満たすまでの再送回数をより少なくすることができる。
【０１０１】
図１０には、送信回数２回目までしか示していないが、３回以上としてもよく、ＩＲ方式の利得は再送回数が増えて符号化率が小さくなるに従い大きくなる。
【０１０２】
なお、本実施の形態では、通信端末装置がＨ−ＡＲＱに用いるメモリ量を考慮して、ＴＢＳの上限を決めるものとする。
【０１０３】
このように本実施の形態によれば、ＴＢＳテーブルに用いられるＴＢＳを所定の符号化率以上とすることにより、再送毎に異なる符号化率で送信するＩＲ方式の１回当たりの送信に必要なＳＩＲを低減することができる。
【０１０４】
なお、本実施の形態では、符号化率を０．６以上とする場合について説明したが、これに限らず、符号化器の符号化率以上の適切な値に調整すればよい。例えば、変調方式に応じた適切な値に調整してもよく、この場合、ＱＰＳＫに比べ誤りやすい１６ＱＡＭの場合を考えると、適切な値をＱＰＳＫの場合よりも大きくすることにより、ＩＲ方式の再送方法を用いた場合、誤りやすい１６ＱＡＭでもより少ない再送回数で所定の受信品質を満たすことができる。この結果、スループットの向上を図ることができる。
【０１０５】
（実施の形態３）
この実施の形態では、バッファ（Ｑｕｅｕｅ）内の送信待ちデータ量を考慮して、ＴＢＳを調整する場合について説明する。
【０１０６】
図１１は、本発明の実施の形態３におけるスケジューリング部の内部構成を示すブロック図である。ただし、図１１が、図３と共通する部分には図３と同一の符号を付し、その詳しい説明は省略する。図１１が図３と異なる点は、ＭＣＳ決定部３０４をＭＣＳ決定部１１０１に変更した点である。
【０１０７】
バッファ１５２は、送信待ちデータのデータ量（以下、「Ｑｕｅｕｅ内データ量」という）をカウントし、ＭＣＳ決定部１１０１に通知する。ＭＣＳ決定部１１０１は、Ｑｕｅｕｅ内データ量を考慮し、ＴＢＳが送信データ量を一定以上越えないようにする。例えば、ＨＳ−ＰＤＳＣＨ  ＳＩＲがよく、Ｑｕｅｕｅ内データ量を一定以上越えるＴＢＳ候補が決定されると、パディング処理を行い空き領域を埋める必要があるが、この処理を行わなくてもよい。また、リソースの浪費を回避することができる。
【０１０８】
次に、ＭＣＳ決定部１１０１においてＴＢＳテーブルを用いてＭＣＳを決定する手順について図１２を参照して説明する。ただし、図１２が図７と共通する部分には図７と同一の符号を付し、その説明は省略する。ＳＴ１２０１では、バッファ１５２から通知されたＱｕｅｕｅ内データ量とＳＴ７０３において検索されたＴＢＳ候補との大小比較が行われる。すなわち、Ｑｕｅｕｅ内データ量がＴＢＳ候補以上であるか否かが判定される。Ｑｕｅｕｅ内データ量がＴＢＳ候補以上である場合は、ＳＴ７０４に移行し、Ｑｕｅｕｅ内データ量がＴＢＳ候補以上ではない場合、ＳＴ１２０２に移行する。
【０１０９】
ＳＴ１２０２では、Ｑｕｅｕｅ内データ量と一致するか、Ｑｕｅｕｅ内データ量よりも大きく、かつ最も近いＴＢＳに調整し、ＳＴ７０４に移行する。
【０１１０】
このように本実施の形態によれば、ＭＣＳ決定の際に、Ｑｕｅｕｅ内のデータ量を考慮し、ＴＢＳを調整することにより、リソースの浪費を回避することができる。
【０１１１】
（実施の形態４）
図１３は、本発明の実施の形態４におけるスケジューリング部の内部構成を示すブロック図である。ただし、図１３が、図３と共通する部分には図３と同一の符号を付し、その詳しい説明は省略する。図１３が図３と異なる点は、ＭＣＳ決定部３０４をＭＣＳ決定部１３０１に変更した点である。
【０１１２】
ＭＣＳ決定部１３０１は、バッファ１５２から通知されたＱｕｅｕｅ内データ量とＴＢＳ候補との大小比較を行い、ＴＢＳがＱｕｅｕｅ内データ量を一定以上越える場合、ＴＢＳがＱｕｅｕｅ内データ量を一定以上越えないようにする。すなわち、ＴＢＳテーブルにおいて、ＨＳ−ＰＤＳＣＨ  ＳＩＲを下げる方向にＴＢＳを調整する。ＭＣＳ決定部１３０１は、低減したＨＳ−ＰＤＳＣＨ  ＳＩＲ分の送信電力を下げるように送信電力決定部３０２に指示する。
【０１１３】
次に、ＭＣＳ決定部１３０１においてＴＢＳテーブルを用いてＭＣＳを決定する手順について図１４を参照して説明する。ただし、図１４が図１２と共通する部分には図１２と同一の符号を付し、その説明は省略する。ＳＴ１４０１では、ＴＢＳテーブルにおいて、ＨＳ−ＰＤＳＣＨ  ＳＩＲを減少させる方向にＴＢＳを減らし、Ｑｕｅｕｅ内データ量と一致するか、Ｑｕｅｕｅ内データ量よりも大きく、かつ最も近いＴＢＳに調整する。
【０１１４】
ＳＴ１４０２では、ＳＴ１４０１で減少させた分のＨＳ−ＰＤＳＣＨ  ＳＩＲに相当する送信電力を減少させるため、ＭＣＳ決定部１３０１が送信電力決定部３０２に送信電力減少を指示し、ＳＴ７０４に移行する。
【０１１５】
このように本実施の形態によれば、ＭＣＳ決定の際に、ＨＳ−ＰＤＳＣＨ  ＳＩＲに基づいて検索されたＴＢＳがＱｕｅｕｅ内データ量を一定以上越えた場合、ＨＳ−ＰＤＳＣＨ  ＳＩＲを減少させる方向にＴＢＳを調整し、減少させたＨＳ−ＰＤＳＣＨ  ＳＩＲに相当する分の送信電力を減少させることにより、送信電力リソースを有効に利用することができる。
【０１１６】
（実施の形態５）
本発明の実施の形態５におけるスケジューリング部の内部構成は図１１と共通するので、図１１を代用し、ＭＣＳ決定部１１０１におけるＭＣＳ決定手順について図１５を参照して説明する。ただし、図１５が図１２と共通する部分には図１２と同一の符号を付し、その説明は省略する。図１５において、ＭＣＳ決定部１１０１は、ＳＴ１２０１でバッファ１５２から通知されたＱｕｅｕｅ内データ量とＳＴ７０３において検索されたＴＢＳ候補との大小比較が行われる。すなわち、Ｑｕｅｕｅ内データ量がＴＢＳ候補以上であるか否かが判定される。Ｑｕｅｕｅ内データ量がＴＢＳ候補以上である場合は、ＳＴ７０４に移行し、Ｑｕｅｕｅ内データ量がＴＢＳ候補以上ではない場合、ＳＴ１５０１に移行する。
【０１１７】
ＳＴ１５０１では、ＴＢＳテーブルにおいて、コード数及び変調多値数を減少させる方向にＴＢＳを減らし、Ｑｕｅｕｅ内データ量と一致するか、Ｑｕｅｕｅ内データ量よりも大きく、かつ最も近いＴＢＳに調整する。
【０１１８】
ここでは、コード数を減少させることから、コードリソースを有効に利用することができ、多くの通信端末装置にコードを割り当てることができるため、スループットを向上させることができる。
【０１１９】
また、変調多値数を減少させることから、誤りにくくなるため、通信端末装置での受信品質を向上させることができる。
【０１２０】
このように本実施の形態によれば、ＭＣＳ決定の際に、ＨＳ−ＰＤＳＣＨ  ＳＩＲに基づいて検索されたＴＢＳがＱｕｅｕｅ内データ量を一定以上越えた場合、コード数及び変調多値数を減少させる方向にＴＢＳを調整することにより、コードリソースを有効に利用することができるため、スループットを向上させることができ、また、通信端末装置での受信品質を向上させることができる。
【０１２１】
（実施の形態６）
本発明の実施の形態６におけるスケジューリング部の内部構成は図１３と共通するので、図１３を代用し、ＭＣＳ決定部１３０１におけるＭＣＳ決定手順について図１６を参照して説明する。ただし、図１６が図１４と共通する部分には図１４と同一の符号を付し、その説明は省略する。図１６において、ＭＣＳ決定部１３０１は、ＳＴ１２０１でバッファ１５２から通知されたＱｕｅｕｅ内データ量とＳＴ７０３において検索されたＴＢＳ候補との大小比較が行われる。すなわち、Ｑｕｅｕｅ内データ量がＴＢＳ候補以上であるか否かが判定される。Ｑｕｅｕｅ内データ量がＴＢＳ候補以上である場合は、ＳＴ７０４に移行し、Ｑｕｅｕｅ内データ量がＴＢＳ候補以上ではない場合、ＳＴ１６０１に移行する。
【０１２２】
ＳＴ１６０１では、ＴＢＳテーブルにおいて、ＨＳ−ＰＤＳＣＨ  ＳＩＲ、コード数及び変調多値数を減少させる方向にＴＢＳを減らし、Ｑｕｅｕｅ内データ量と一致するか、Ｑｕｅｕｅ内データ量よりも大きく、かつ最も近いＴＢＳに調整する。
【０１２３】
ＳＴ１４０２では、ＳＴ１６０１で減少させた分のＨＳ−ＰＤＳＣＨ  ＳＩＲに相当する送信電力を減少させるため、ＭＣＳ決定部１３０１が送信電力決定部３０２に送信電力減少を指示し、ＳＴ７０４に移行する。
【０１２４】
このように本実施の形態によれば、ＭＣＳ決定の際に、ＨＳ−ＰＤＳＣＨ  ＳＩＲに基づいて検索されたＴＢＳがＱｕｅｕｅ内データ量を一定以上越えた場合、ＨＳ−ＰＤＳＣＨ  ＳＩＲ、コード数及び変調多値数を減少させる方向にＴＢＳを調整し、減少させたＨＳ−ＰＤＳＣＨ  ＳＩＲに相当する分の送信電力を減少させることにより、送信電力リソースを有効に利用することができる。また、コードリソースを有効利用することにより、多くの通信端末装置にコードを割り当てることができるため、スループットを向上させることができる。さらに、通信端末装置での受信品質を向上させることができる。
【０１２５】
（実施の形態７）
本発明の実施の形態５におけるスケジューリング部の内部構成は図１３と共通するので、図１３を代用し、ＭＣＳ決定部１３０１におけるＭＣＳ決定手順について図１７を参照して説明する。ただし、図１７が図１４と共通する部分には図１４と同一の符号を付し、その説明は省略する。図１７において、ＭＣＳ決定部１３０１は、ＳＴ１２０１でバッファ１５２から通知されたＱｕｅｕｅ内データ量とＳＴ７０３において検索されたＴＢＳ候補との大小比較が行われる。すなわち、Ｑｕｅｕｅ内データ量がＴＢＳ候補以上であるか否かが判定される。Ｑｕｅｕｅ内データ量がＴＢＳ候補以上である場合は、ＳＴ７０４に移行し、Ｑｕｅｕｅ内データ量がＴＢＳ候補以上ではない場合、ＳＴ１７０１に移行する。
【０１２６】
ＳＴ１７０１では、ＳＴ７０３において検索されたＴＢＳ候補に対するＱｕｅｕｅ内データ量の割合に応じてコード数及びＨＳ−ＰＤＳＣＨ  ＳＩＲを減少する。例えば、この割合が１／Ａとすると、コード数及びＨＳ−ＰＤＳＣＨ  ＳＩＲを１／Ａ倍する。これにより、ＴＢＳ調整のためにＴＢＳテーブルを再検索する必要がなくなり、ＭＣＳ決定までに要する時間を短縮することができる。
【０１２７】
このように本実施の形態によれば、ＭＣＳ決定の際に、ＨＳ−ＰＤＳＣＨ  ＳＩＲに基づいて検索されたＴＢＳがＱｕｅｕｅ内データ量を一定以上越えた場合、ＴＢＳ候補に対するＱｕｅｕｅ内データ量の割合に応じてコード数及びＨＳ−ＰＤＳＣＨ  ＳＩＲを減少することにより、ＭＣＳ決定までに要する時間を短縮することができる。また、減少させたＨＳ−ＰＤＳＣＨ  ＳＩＲに相当する分の送信電力を減少させることにより、送信電力リソースを有効に利用することができる。
【０１２８】
（実施の形態８）
上述した各実施の形態では、基地局装置がＭＣＳを決定していたが、本実施の形態では通信端末装置がＭＣＳを決定する場合について説明する。
【０１２９】
図１８は、本発明の実施の形態８に係る基地局装置におけるスケジューリング部の内部構成を示すブロック図である。送信先決定部１８０１は、通信端末装置が要求するＭＣＳの情報を取得し、ＭＣＳ情報に基づいてＴＢＳが大きい通信端末装置を選択し、選択した送信先装置をＨＳ−ＳＣＣＨ用信号生成部１８０３及びＭＣＳ制御部１８０４に通知する。
【０１３０】
送信電力決定部１８０２は、ＨＳ−ＰＤＳＣＨの送信電力を決定し、決定した送信電力を示す情報をＨＳ−ＳＣＣＨ用信号生成部１８０３に出力する。
【０１３１】
ＨＳ−ＳＣＣＨ用信号生成部１８０３は、送信電力決定部１８０２から出力されたＨＳ−ＰＤＳＣＨの送信電力情報を含め、ＨＳ−ＳＣＣＨ用信号を生成し、増幅部１６１に出力する。
【０１３２】
ＭＣＳ制御部１８０４は、送信先決定部１８０１が決定した通信端末装置にＭＣＳを割り当てるため、ＭＣＳ情報に基づいて変調部１５３を制御する。
【０１３３】
図１９は、本発明の実施の形態８に係る通信端末装置の構成を示すブロック図である。ただし、図１９が図２と共通する部分は図２と同一の符号を付し、その詳しい説明を省略する。復調部２０５は、基地局装置から送信されたＨＳ−ＳＣＣＨ用信号を復調し、ＨＳ−ＰＤＳＣＨの送信電力情報を抽出した後、ＨＳ−ＰＤＳＣＨ  ＳＩＲ推定部１９０１に出力する。
【０１３４】
ＨＳ−ＰＤＳＣＨ  ＳＩＲ推定部１９０１は、ＣＩＲ測定部２１２が測定した下り回線品質を示すＣＩＲと、復調部２０５から出力されたＨＳ−ＰＤＳＣＨの送信電力情報とから、ＨＳ−ＰＤＳＣＨ  ＳＩＲを推定し、ＭＣＳ決定部１９０２に通知する。
【０１３５】
ＭＣＳ決定部１９０２は、実施の形態１又は実施の形態２で説明したＴＢＳテーブルを有し、ＨＳ−ＰＤＳＣＨ  ＳＩＲ推定部から通知された値に基づいてＴＢＳを検索し、ＴＢＳを決定する。そして、決定したＴＢＳに対応するＭＣＳを決定する。決定したＭＣＳ及びこのＭＣＳに対応するＴＢＳは、ＭＣＳ情報として多重部（ＭＵＸ）２５１に出力され、所定の送信処理を施された後、基地局装置に送信される。なお、ＭＣＳ決定部１９０２が有するＴＢＳテーブルは、各通信端末装置の能力、例えば、受信可能な多重コード数や変調多値数等に応じて通信端末装置毎に最適なＴＢＳが割り当てられたＴＢＳテーブルを用いることとする。このため、通信端末装置毎のスループットが改善するので、システムのスループットも向上させることができる。
【０１３６】
このように本実施の形態によれば、通信端末装置が自装置の能力に応じたＴＢＳテーブルを個別に有し、自装置が所望するＭＣＳを基地局装置に要求することにより、通信端末装置毎のスループットが改善され、結果としてシステムのスループットも向上させることができる。
【０１３７】
【発明の効果】
以上説明したように、本発明によれば、送信電力リソースに基づいたＨＳ−ＰＤＳＣＨの回線品質に応じて、所定の品質を満たすＴＢＳとなるコード数及び変調方式の組み合わせを決定することにより、ＨＳ−ＰＤＳＣＨの送信電力を考慮し、最適なＴＢＳで送信することができるので、スループットを向上させることができる。
【図面の簡単な説明】
【図１】本発明の実施の形態１に係る基地局装置の構成を示すブロック図
【図２】本発明の実施の形態１に係る基地局装置と無線通信を行う通信端末装置の構成を示すブロック図
【図３】本発明の実施の形態１に係る基地局装置におけるスケジューラの内部構成を示すブロック図
【図４】本発明の実施の形態１に係る基地局装置におけるＭＣＳ決定部が有するＴＢＳテーブルの概略図
【図５】従来のＣＱＩテーブルと実施の形態１のＴＢＳテーブルとを比較した様子を示す図
【図６】本発明の実施の形態１のＴＢＳテーブル及び各ＴＢＳの符号化率を示す図
【図７】本発明の実施の形態１に係る基地局装置におけるＭＣＳ決定部においてＴＢＳテーブルを用いてＭＣＳを決定する手順を示すフロー図
【図８】本発明の実施の形態２のＴＢＳテーブル及び各ＴＢＳの符号化率を示す図
【図９】従来のＣＱＩテーブルと実施の形態２のＴＢＳテーブルとを比較した様子を示す図
【図１０】送信１回当たりに必要なＳＩＲとＦＥＲとの関係を示す図
【図１１】本発明の実施の形態３及び５におけるスケジューリング部の内部構成を示すブロック図
【図１２】本発明の実施の形態３におけるＭＣＳ決定部においてＴＢＳテーブルを用いてＭＣＳを決定する手順を示すフロー図
【図１３】本発明の実施の形態４、６及び７におけるスケジューリング部の内部構成を示すブロック図
【図１４】本発明の実施の形態４におけるＭＣＳ決定部においてＴＢＳテーブルを用いてＭＣＳを決定する手順を示すフロー図
【図１５】本発明の実施の形態５におけるＭＣＳ決定部においてＴＢＳテーブルを用いてＭＣＳを決定する手順を示すフロー図
【図１６】本発明の実施の形態６におけるＭＣＳ決定部においてＴＢＳテーブルを用いてＭＣＳを決定する手順を示すフロー図
【図１７】本発明の実施の形態７におけるＭＣＳ決定部においてＴＢＳテーブルを用いてＭＣＳを決定する手順を示すフロー図
【図１８】本発明の実施の形態８に係る基地局装置におけるスケジューリング部の内部構成を示すブロック図
【図１９】本発明の実施の形態８に係る通信端末装置の構成を示すブロック図
【図２０】従来におけるＣＱＩテーブルを示す図
【図２１】従来におけるＣＱＩテーブルをＣＱＩとコード数とを変調方式毎に対応させた概略図
【符号の説明】
１５１  スケジューラ
１５２  バッファ
１５３  変調部
１５４  送信電力制御部
３０１、１８０１  送信先決定部
３０２、１８０２  送信電力決定部
３０３、１９０１  ＨＳ−ＰＤＳＣＨ  ＳＩＲ推定部
３０４、１１０１、１３０１、１９０２  ＭＣＳ決定部
１８０４  ＭＣＳ制御部
【図１】
2004173019.tif 000003
【図２】
2004173019.tif 000004
【図３】
2004173019.tif 000005
【図４】
2004173019.tif 000006
【図５】
2004173019.tif 000007
【図６】
2004173019.tif 000008
【図７】
2004173019.tif 000009
【図８】
2004173019.tif 000010
【図９】
2004173019.tif 000011
【図１０】
2004173019.tif 000012
【図１１】
2004173019.tif 000013
【図１２】
2004173019.tif 000014
【図１３】
2004173019.tif 000015
【図１４】
2004173019.tif 000016
【図１５】
2004173019.tif 000017
【図１６】
2004173019.tif 000018
【図１７】
2004173019.tif 000019
【図１８】
2004173019.tif 000020
【図１９】
2004173019.tif 000021
【図２０】
2004173019.tif 000022
【図２１】
2004173019.tif 000023